(57)【要約】      （修正有）【課題】作動ユニットが移動しているときには、制御ユニットの作動ユニットへの電力の供給が中止しない按摩器用導電構造を提供する。【解決手段】ケースと、ケースの内部に変位可能に設けられ、二つの電極ヘッド３１を有する作動ユニット３０と、作動ユニット３０の変位軌跡に沿うようにケースに設けられる二つの導電条４０と、作動ユニット３０に設けられ、電極ヘッド３１と導電条４０との間に位置し、電極ヘッド３１と導電条４０とを電気的に接続する。これにより、作動ユニットが変位しているときに、導電条と電気的に接続できる導電ユニット５０と、ケースに設けられ、各導電条と電気的に接続する制御ユニット６０と、を含む。【選択図】図２
0003177447.tif 000002
【実用新案登録請求の範囲】
【請求項１】
ケースと、
前記ケースの内部に変位可能に設けられ、二つの電極ヘッドを有する作動ユニットと、
前記作動ユニットの変位軌跡に沿うように前記ケースに設けられる二つの導電条と、
前記作動ユニットに設けられ、前記電極ヘッドと前記導電条との間に位置し、前記電極ヘッドと前記導電条とを電気的に接続し、これにより、前記作動ユニットが変位しているときに、前記導電条と電気的に接続できる導電ユニットと、
前記ケースに設けられ、各前記導電条と電気的に接続する制御ユニットと、
を含むことを特徴とする按摩器用導電構造。
【請求項２】
前記作動ユニットはモータであることを特徴とする、請求項１に記載の按摩器用導電構造。
【請求項３】
前記作動ユニットはランプ付き板であることを特徴とする、請求項１に記載の按摩器用導電構造。
【請求項４】
前記作動ユニットは、更に、前記導電ユニットを設け可能な連接面を有し、前記導電ユニットは、押え板と、二つのバネと、二つの導電ヘッドと、二つの電気コードと、を含み、前記押え板は、前記作動ユニットの前記連接面に固定され、二つの貫通孔を有し、各前記バネは、それぞれ前記貫通孔を挿通し、前記連接面に押付ける第１の端部と、第２の端部と、を有し、それぞれ前記バネと前記導電条との間に設けられる各前記導電ヘッドは、前記バネの前記第２の端部に押付けられるヘッド部と、前記導電条と電気的に接続する導電条と、を有し、各前記電気コードは、前記作動ユニットの前記電極ヘッドと、前記導電ヘッドとの間に位置し、前記作動ユニットの前記電極ヘッドと前記導電ヘッドとを電気的に接続することを特徴とする、請求項１に記載の按摩器用導電構造。
【請求項５】
前記制御ユニットは制御回路板であることを特徴とする、請求項１に記載の按摩器用導電構造。
【請求項６】
前記制御ユニットはリレーであることを特徴とする、請求項１に記載の按摩器用導電構造。
【請求項７】
前記ケースの内部にラックが設けられ、前記作動ユニットには、前記ラックと噛合うギヤユニットが連接されることを特徴とする、請求項２に記載の按摩器用導電構造。
【考案の詳細な説明】
【技術分野】
【０００１】
本考案は、按摩器に関し、特に、按摩器用導電構造に関するものである。
【背景技術】
【０００２】
人々は、按摩器によって体及び心理のストレスを解消すると共に、筋肉の緊張を緩和させる。図１に示すように、従来の按摩器は、ケース１１と、自在に移動できるようにケース１１に設けられる按摩台１２と、按摩台１２を駆動してケース１１の内部に往復動するモータ１３と、按摩台１２に設けられて按摩の動作を行う按摩ユニット１４と、から構成される。このため、按摩ユニット１４は、一定の位置に回転しながら押圧式の按摩動作を行うことができる他、モータ１３により按摩台１２を往復動することもできる。これにより、按摩ユニット１４は移動しながらユーザを按摩することができる。しかし、従来の按摩器は下記の欠点がある。
【０００３】
モータ１３に対する制御は、按摩器の制御ユニット１５によって行うため、モータ１３と制御ユニット１５とは電気コード１６によって電気的に接続する。しかし、按摩器はモータ１３の最大走行可能な距離を考慮することが必要であるため、電気コード１６の長さは、モータ１３と制御ユニット１５との間の最大距離よりも長いことが必要である。そして按摩器の設計は、ケース１１の構造強度及び型抜きの可能性を考慮することが必要であるため、ケース１１の内部の特定しない位置に複数の補強リブ及び型抜きリブが設けられる。
これにより、モータ１３により按摩台１２を駆動して制御ユニット１５に近接しているときには、電気コード１６が絡み合う。また、モータ１３により按摩台１２を駆動して制御ユニット１５から離れているときには、絡み合った電気コード１６が補強リブや型抜きリブに係られて断裂しやすい。このように、按摩器は故障してユーザを按摩できなくなる。
【０００４】
また、按摩ユニット１４が発熱機能を有する場合には、按摩ユニット１４の内部に設けられるランプ付き板の導電構造も上記のような欠点がある。
【考案の概要】
【考案が解決しようとする課題】
【０００５】
本考案の主な目的は、導電条によって作動ユニット（モータ又はランプ付き板）と制御ユニットとを電気的に接続することにより、作動ユニットが移動しているときには、制御ユニットの作動ユニットへの電力の供給が中止しない按摩器用導電構造を提供することにある。
【課題を解決するための手段】
【０００６】
本考案の按摩器用導電構造によると、ケースと、
ケースの内部に変位可能に設けられ、二つの電極ヘッドを有する作動ユニットと、
作動ユニットの変位軌跡に沿うようにケースに設けられる二つの導電条と、
作動ユニットに設けられ、電極ヘッドと導電条との間に位置し、電極ヘッドと導電条とを電気的に接続し、これにより、作動ユニットが変位しているときに、導電条と電気的に接続できる導電ユニットと、
ケースに設けられ、各導電条と電気的に接続する制御ユニットと、
を含むことを特徴とする。
【０００７】
本考案の按摩器用導電構造によると、作動ユニットはモータであることを特徴とする。
【０００８】
本考案の按摩器用導電構造によると、作動ユニットはランプ付き板であることを特徴とする。
【０００９】
本考案の按摩器用導電構造によると、作動ユニットは、更に、導電ユニットを設け可能な連接面を有し、導電ユニットは、押え板と、二つのバネと、二つの導電ヘッドと、二つの電気コードと、を含み、押え板は、作動ユニットの連接面に固定され、二つの貫通孔を有し、各バネは、それぞれ貫通孔を挿通し、連接面に押付ける第１の端部と、第２の端部と、を有し、それぞれバネと導電条との間に設けられる各導電ヘッドは、バネの第２の端部に押付けられるヘッド部と、導電条と電気的に接続する導電部と、を有し、各電気コードは、作動ユニットの電極ヘッドと、導電ヘッドとの間に位置し、作動ユニットの電極ヘッドと導電ヘッドとを電気的に接続することを特徴とする。
【００１０】
本考案の按摩器用導電構造によると、制御ユニットは制御回路板であることを特徴とする。
【００１１】
本考案の按摩器用導電構造によると、制御ユニットはリレーであることを特徴とする。
【００１２】
本考案の按摩器用導電構造によると、ケースの内部にラックが設けられ、作動ユニットには、ラックと噛合うギヤユニットが連接されることを特徴とする。
【考案の効果】
【００１３】
本考案の按摩器用導電構造によれば、導電条によって作動ユニット（モータ又はランプ付き板）と制御ユニットとを電気的に接続することにより、作動ユニットが移動しているときには、制御ユニットの作動ユニットへの電力の供給が中止しないという効果を有する。
【図面の簡単な説明】
【００１４】
【図１】従来の按摩器の組合済み状態を示す断面図である。
【図２】本考案の一実施例の組合済み状態を示す断面図である。
【図３】図２の一部を示す拡大図である。
【図４】本考案の一実施例の組合済み状態を示す平面図である。
【図５】本考案の一実施例を示す分解斜視図であって、作動ユニット、導電ユニット及び導電条が分離された状態を示す。
【図６】本考案の一実施例を示す分解斜視図であって、作動ユニット、導電ユニット及び導電条が組合せられた状態を示す。
【図７】本考案の一実施例の組合済み状態を示す断面図であって、作動ユニットが変位している状態を示す。
【図８】本考案の別の実施例を示す分解斜視図であって、作動ユニットは、ランプ付き板であり、導電ユニット及び導電条から分離された状態を示す。
【考案を実施するための形態】
【００１５】
以下、本考案の実施の形態を図面に基づいて説明する。
【実施例】
【００１６】
まず、図２乃至図６を参照する。本考案の一実施例の按摩器用導電構造は、ケース２０と、作動ユニット３０と、二つの導電条４０と、導電ユニット５０と、制御ユニット６０と、から構成される。
【００１７】
ケース２０の内部にラック２１が設けられる。
【００１８】
作動ユニット３０は、ケース２０の内部に変位可能に設けられ、二つの電極ヘッド３１を有する。本実施例では、作動ユニット３０は、モータであり、連接面３２を有する。作動ユニット３０には、ラック２１と噛合うギヤユニット９１が連接される。これにより、作動ユニット３０は、ケース２０の内部に変位可能であり、按摩ユニット９２を有する按摩台９３を駆動してケース２０の内部に変位可能である。
【００１９】
二つの導電条４０は、導電可能であり、作動ユニット３０の変位軌跡に沿うようにケース２０に設けられる。
【００２０】
導電ユニット５０は、作動ユニット３０に設けられ、電極ヘッド３１と導電条４０との間に位置し、電極ヘッド３１と導電条４０とを電気的に接続する。本実施例では、導電ユニット５０は、押え板５１と、二つのバネ５２と、二つの導電ヘッド５３と、二つの電気コード５４と、を含む。押え板５１は、螺子５５により作動ユニット３０の連接面３２に締結され、二つの貫通孔５１１を有する。各バネ５２は、圧縮バネであり、それぞれ貫通孔５１１を挿通し、連接面３２に押付ける第１の端部５２１と、第２の端部５２２と、を有する。それぞれバネ５２と導電条４０との間に設けられる各導電ヘッド５３は、バネ５２の第２の端部５２２に押付けられるヘッド部５３１と、導電条４０と電気的に接続する導電部５３２と、を有する。各電気コード５４は、作動ユニット３０の電極ヘッド３１と、導電ヘッド５３との間に位置し、作動ユニット３０の電極ヘッド３１と導電ヘッド５３とを電気的に接続する。
【００２１】
制御ユニット６０は、ケース２０に設けられ、各導電条４０の一端と電気的に接続する。これにより、導電条４０と導電ユニット５０とによって、作動ユニット３０に制御信号又は電力を伝送することができる。制御ユニット６０は、制御回路板でもいいし、リレーでもよい。
【００２２】
次に、本考案の一実施例の按摩器用導電構造の機能及び効果を説明する。図２、図６及び図７を参照する。作動ユニット３０と導電条４０との間に導電ユニット５０が設けられ、導電ユニット５０のバネ５２の一端が作動ユニット３０に押付けられることにより、バネ５２の他端は、導電ヘッド５３に押付けて導電条４０と電気的に接続するため、作動ユニット３０が移動しているときに、導電ユニット５０の導電ヘッド５３が駆動されて導電条４０をスライドすると共に、バネ５２により、導電ヘッド５３と導電条４０とが電気的に接続する。このように、作動ユニット３０が移動しているときに、作動ユニット３０は導電条４０と電気的に接続し、これにより、作動ユニット３０に制御ユニット６０の制御信号又は電力を伝送でき、制御ユニット６０の作動ユニット３０への制御信号又は電力の供給が中止しない。
【００２３】
特に、各導電条４０がケース２０の内部に設けられ、作動ユニット３０は、導電ユニット５０を介して各導電条４０と電気的に接続するため、作動ユニット３０が移動しているときには、導電条４０が変形しない。按摩器の設計の段階で、作動ユニット３０の移動経路を計画して、前記移動経路に導電条４０を設けると済む。このように、電気コードの使用量を減少でき、電気コードの占めるスペースを減少させることもできる。
【００２４】
本考案では、図８に示すように、作動ユニット３０ａは、モータである他、ランプ３０１ａを有するランプ付き板３０２ａでもよい。作動ユニット３０ａは、上記の実施例と同じように、連接面３２ａと、二つの電極ヘッド３１ａと、を有し、導電ユニット５０及び導電ユニット５０の電気コード５４と電気的に接続する。このように、作動ユニット３０ａが移動しているときに、作動ユニット３０ａは導電条４０と電気的に接続できる。
【産業上の利用可能性】
【００２５】
本考案は、按摩器に適用することができる。
【符号の説明】
【００２６】
１１：ケース
１２：按摩台
１３：モータ
１４：按摩ユニット
１５：制御ユニット
１６：電気コード
２０：ケース
２１：ラック
３０：作動ユニット
３１：電極ヘッド
３２：連接面
４０：導電条
５０：導電ユニット
５１：押え板
５２：バネ
５３：導電ヘッド
５４：導電コード
６０：制御ユニット
９１：ギヤユニット
９２：按摩ユニット
９３：按摩台
５１１：貫通孔
５２１：第１の端部
５２２：第２の端部
５３１：ヘッド部
５３２：導電部
【図１】
0003177447.tif 000003
【図２】
0003177447.tif 000004
【図３】
0003177447.tif 000005
【図４】
0003177447.tif 000006
【図５】
0003177447.tif 000007
【図６】
0003177447.tif 000008
【図７】
0003177447.tif 000009
【図８】
0003177447.tif 000010